(57)【要約】【課題】省スペース化を図ること。【解決手段】コネクタ１は、機器との接続側に開口する第１開口と、互いに交差する第１方向及び第２方向に亘って開口し、第１方向及び第２方向のいずれか一方向から可撓性を有する電線２０が引き出される第２開口１０Ｂと、を有し、電線２０の一端側が収容されるハウジング１０と、二つの板面３０Ａ、３０Ｂを有する屈曲された板状部材からなり、一方の板面３０Ａに電線２０が挿通される挿通孔３２が設けられるとともに、ハウジング１０に取り付けられることで第２開口１０Ｂを閉塞するカバー部材３０と、を備え、カバー部材３０は、挿通孔３２が第１方向に向けられた第１状態と、挿通孔３２が第２方向に向けられた第２状態と、のいずれかの状態でハウジング１０に対して着脱自在とされる。【選択図】図２
2017021946.tif 000002
【特許請求の範囲】
【請求項１】
機器との接続側に開口する第１開口と、互いに交差する第１方向及び第２方向に亘って開口し、該第１方向及び該第２方向のいずれか一方向から可撓性を有する電線が引き出される第２開口と、を有し、前記電線の一端側が収容されるハウジングと、
二つの板面を有する屈曲された板状部材からなり、一方の前記板面に前記電線が挿通される挿通孔が設けられるとともに、前記ハウジングに取り付けられることで前記第２開口を閉塞するカバー部材と、を備え、
前記カバー部材は、前記挿通孔が前記第１方向に向けられた第１状態と、前記挿通孔が前記第２方向に向けられた第２状態と、のいずれかの状態で前記ハウジングに対して着脱自在とされるコネクタ。
【請求項２】
前記電線は、芯線が被覆されてなる複数の内部電線と、該内部電線の各々を一括して被覆する絶縁被覆と、を有し、
前記挿通孔には、前記電線のうち前記絶縁被覆で被覆された部分が挿通される、請求項１に記載のコネクタ。
【請求項３】
前記ハウジングの前記第２開口は、前記機器との接続方向とは反対方向を前記第１方向とするとともに該第１方向と直交する方向を前記第２方向として開口し、
前記カバー部材は、Ｌ字状に屈曲された前記板状部材からなる、請求項１または請求項２に記載のコネクタ。
【発明の詳細な説明】
【技術分野】
【０００１】
本明細書で開示される技術は、コネクタに関する。
【背景技術】
【０００２】
従来、ハイブリッド自動車や電気自動車等に搭載される高電圧コネクタが知られている。この種のコネクタは、例えば、機器側に接続される開口と電線が引き出される開口とを有するハウジングを備えており、このハウジング内に電線の一端側が収容される構成となっている。このようなコネクタが、例えば下記特許文献１に開示されている。
【先行技術文献】
【特許文献】
【０００３】
【特許文献１】特開２０１３−８５７０号公報
【発明の概要】
【発明が解決しようとする課題】
【０００４】
しかしながら、上記特許文献１に開示されるコネクタでは、ハウジングの一方の開口から引き出された電線をコネクタの下方に配索するために、コネクタの外側にカバーが取り付けられ、このカバーによって電線が下方に強制的に曲げられる。このため、このようなカバーを取り付けるためのスペースが別途必要となり、コネクタを配するために大きなスペースが必要となる。
【０００５】
本明細書で開示される技術は、上記の課題に鑑みて創作されたものであって、省スペース化を図ることを目的とする。
【課題を解決するための手段】
【０００６】
本明細書で開示される技術は、機器との接続側に開口する第１開口と、互いに交差する第１方向及び第２方向に亘って開口し、該第１方向及び該第２方向のいずれか一方向から可撓性を有する電線が引き出される第２開口と、を有し、前記電線の一端側が収容されるハウジングと、二つの板面を有する屈曲された板状部材からなり、一方の前記板面に前記電線が挿通される挿通孔が設けられるとともに、前記ハウジングに取り付けられることで前記第２開口を閉塞するカバー部材と、を備え、前記カバー部材は、前記挿通孔が前記第１方向に向けられた第１状態と、前記挿通孔が前記第２方向に向けられた第２状態と、のいずれかの状態で前記ハウジングに対して着脱自在とされるコネクタに関する。
【０００７】
上記のコネクタは、その組み付け工程において、電線の一端側をハウジング内に収容した後、電線を第２開口から引き出すことができる。このとき、電線を曲げることで、第１方向及び第２方向のうち所望する方向から電線を引き出すことができる。その後、電線を挿通孔に挿通させながら、第１状態及び第２状態のうち電線の引き出し方向に対応する状態でカバー部材をハウジングに取り付けることで、カバー部材によって第２開口を閉塞することができる。
【０００８】
このように上記のコネクタでは、その組み付け工程において、コネクタの外側に電線を曲げるための部材を別途取り付けなくとも、当該電線の配索方向を決定することができる。このため、コネクタの外側に電線を曲げるための部材が取り付けられる従来のコネクタと比べて省スペース化を図ることができる。
【０００９】
上記のコネクタにおいて、前記電線は、芯線が被覆されてなる複数の内部電線と、該内部電線の各々を一括して被覆する絶縁被覆と、を有し、前記挿通孔には、前記電線のうち前記絶縁被覆で被覆された部分が挿通されてもよい。
【００１０】
この構成によると、複数の内部電線が一括して被覆された電線を所望する方向に配索することが可能なコネクタを実現しながら、コネクタの省スペース化を図ることができる。
【００１１】
上記のコネクタにおいて、前記ハウジングの前記第２開口は、前記機器との接続方向とは反対方向を前記第１方向とするとともに該第１方向と直交する方向を前記第２方向として開口し、前記カバー部材は、Ｌ字状に屈曲された前記板状部材からなってもよい。
【００１２】
この構成によると、第１状態における電線の配索方向と第２状態における電線の配索方向とが直交するコネクタを実現しながら、省スペース化を図ることができる。
【発明の効果】
【００１３】
本明細書で開示される技術によれば、省スペース化を図ることができる。
【図面の簡単な説明】
【００１４】
【図１】実施形態に係るコネクタを前方側から視た分解斜視図
【図２】コネクタを後方側から視た分解斜視図
【図３】電線が後方に引き出された状態のコネクタの一部透過斜視図
【図４】電線が下方に引き出された状態のコネクタの一部透過斜視図
【図５】図４においてさらにリテーナが組み付けられた状態のコネクタの斜視図
【発明を実施するための形態】
【００１５】
図面を参照して実施形態を説明する。本実施形態では、例えばハイブリッド自動車や電気自動車に搭載される高電圧用のコネクタ１について例示する。なお、以下では、各図面の上側をコネクタ１の上方とし、図１の左下側、及び図２から図５の右上側をコネクタ１の前方とし、図１の右下側、及び図２から図５の左下側をコネクタ１の右方として説明する。
【００１６】
本実施形態のコネクタ１は、図１及び図２に示すように、ハウジング１０と、その一端部がハウジング１０内に収容される電線２０と、後述するハウジング１０の第２開口１０Ｂを閉塞するカバー部材３０と、ハウジング１０の外側に取り付けられるリテーナ４０と、を備えており、これらの各部材が組み付けられて構成される。
【００１７】
ハウジング１０は、合成樹脂製であって、図１及び図２に示すように、前後方向を筒軸方向とする略角筒状をなしている。ハウジング１０の前端側には、図１に示すように、前方に開口するとともに機器側に接続される第１開口１０Ａが設けられている。一方、ハウジング１０の後端側には、図２に示すように、後方及び下方に亘って開口するとともに後述する電線２０が引き出される第２開口１０Ｂが設けられている。
【００１８】
なお、ハウジング１０内における第１開口１０Ａの近傍には、機器と接続するための図示しない端子部材が取り付けられるようになっている。また、図１及び図２に示すように、ハウジング１０の後部における左右両側の外面には、後述するリテーナ４０を取り付けるための複数の凸部１２が設けられている。各凸部１２の外面には、ハウジング１０の後側から前側に亘って外側に傾斜する傾斜面が形成されている。
【００１９】
電線２０は、可撓性を有しており、図１及び図２に示すように、芯線（不図示）が被覆されてなる二本の内部電線２２と、その二本の内部電線２２を一括して被覆する絶縁被覆２４とにより構成されている。電線２０の一端部では二本の内部電線２２が絶縁被覆２４から露出しており、電線２０のうち他の部分、即ち絶縁被覆２４で被覆された部分は略円筒状に伸びている。
【００２０】
電線２０の一端側はハウジング１０内に収容され、電線２０の残部は第２開口１０Ｂから引き出される。詳しくは、絶縁被覆２４から露出する各内部電線２２の先端部が接続部２２Ａとなっており、これらの各接続部２２Ａがハウジング１０内に取り付けられた上記端子部材に接続される。そして、電線２０のうち絶縁被覆２４で被覆された残部が第２開口１０Ｂからハウジング１０の後方又はハウジング１０の下方に引き出される。
【００２１】
カバー部材３０は、合成樹脂製であって、図１及び図２に示すように、Ｌ字状に屈曲された板状部材からなることで二つの板面３０Ａ、３０Ｂを有している。カバー部材３０の二つの板面３０Ａ、３０Ｂのうち一方の板面３０Ａには、上記電線２０のうち絶縁被覆２４で被覆された部分が挿通される円形状の挿通孔３２が設けられている。その一端部がハウジング１０内に収容された電線２０は、この挿通孔３２に挿通されてハウジング１０から引き出される。
【００２２】
カバー部材３０は、第２開口１０Ｂとほぼ同等の外形及び大きさをなしており、第２開口１０Ｂの開口縁に沿ってハウジング１０に取り付けられることで第２開口１０Ｂを閉塞する。カバー部材３０は、挿通孔３２がハウジング１０の後方に向けられた状態（以下、第１状態と称する）、即ち上記一方の板面３０Ａがハウジング１０の後方に向けられた状態と挿通孔３２がハウジング１０の下方に向けられた状態（以下、第２状態と称する）のいずれであっても、ハウジング１０に対して着脱自在とされている。
【００２３】
また、カバー部材３０の周りには、図１及び図２に示すように、カバー部材３０の外周縁に沿ってゴム部材３４が配されている。さらに、挿通孔３２の周りにも、挿通孔３２の開口縁に沿って同様のゴム部材３４が配されている。これらのゴム部材３４は、カバー部材３０を構成する合成樹脂と二色成形によって形成されている。これにより、カバー部材３０によって第２開口１０Ｂが閉塞されるとともに挿通孔３２に電線２０が挿通された状態では、第２開口１０Ｂの開口縁とカバー部材３４との間、及び挿通孔３２の開口縁と電線２０との間がそれぞれゴム部材３４によってシールされ、第２開口１０Ｂから水等が浸入することが抑制される。
【００２４】
リテーナ４０は、合成樹脂製であって、ハウジング１０にカバー部材３０が取り付けられた状態でハウジング１０の後端部に取り付けられる（図４参照）。リテーナ４０は、ハウジング１０に取り付けられることで、ハウジング１０の後端部を覆うとともにハウジング１０の後側部分を下方から支持し、ハウジング１０に取り付けられたカバー部材３０を保持する機能を果たす。リテーナ４０のうちハウジング１０の後端部を覆う部分には、図１及び図２に示すように、その周りにハウジング１０の上記各凸部１２に係止される複数の係止部４２が設けられている。
【００２５】
リテーナ４０の各係止部４２は、前後方向に伸びるスリットが設けられた弾性片からなっている。リテーナ４０がハウジング１０の後方から当該ハウジング１０に組み付けられると、リテーナ４０の前進に伴って各係止部４２の先端部が各凸部１２の傾斜面に沿って弾性変形し、リテーナ４０がさらに前進することで各係止部４２の先端部が凸部１２の傾斜面を超え、各係止部４２が弾性復帰して各凸部１２が各係止部４２のスリット内に入り込む。これにより、各係止部４２が各凸部１２に係止される。
【００２６】
また、リテーナ４０のうちハウジング１０の後側部分を下方から支持する部分には、リテーナ４０がハウジング１０に取り付けられた状態で、ハウジング１０の下方に引き出された電線２０（絶縁被覆２４で被覆された部分）を収容可能な切り欠き４４が設けられている（図１参照）。このため、リテーナ４０は、カバー部材３０が第２状態でハウジング１０に取り付けられた場合にのみ、換言すれば電線２０がハウジング１０の第２開口１０Ｂからハウジング１０の下方に引き出される場合にのみ取り付け可能とされる。
【００２７】
以上のような構成とされた本実施形態のコネクタ１は、次のようにして組み付けることができる。まず、ハウジング１０内における第１開口１０Ａの近傍に端子部材を取り付け、電線２０の一端側（絶縁被覆２４から各内部電線２２が露出された側）をハウジング１０内に収容し、絶縁被覆２４から露出する各内部電線２２の先端部に設けられた接続部２２Ａをそれぞれ端子部材に接続する。
【００２８】
次に、電線２０の引き出し方向（配索方向）に応じて電線２０を曲げる。即ち、電線２０を第２開口１０Ｂからハウジング１０の後方へ引き出す場合、電線２０をハウジング１０の後方に伸ばした状態とし、電線２０を第２開口１０Ｂからハウジング１０の下方へ引き出す場合、電線２０をハウジング１０の下方に曲げる。
【００２９】
次に、電線２０をカバー部材３０の挿通孔３２に挿通させながらハウジング１０に対してカバー部材３０を取り付ける。このとき、電線２０がハウジング１０の後方に伸ばされた状態であれば、図３に示すように、カバー部材３０を第１状態でハウジング１０に取り付け、電線２０がハウジング１０の下方に曲げられた状態であれば、図４に示すように、カバー部材３０を第２状態でハウジング１０に取り付ける。
【００３０】
そして、カバー部材３０を第２状態でハウジング１０に取り付けた場合、ハウジング１０の後方側からさらにリテーナ４０を組み付ける。具体的には、リテーナ４０の各係止部４２をハウジング１０の各凸部１２に係止させ、リテーナ４０をハウジング１０に取り付ける。以上の手順により、本実施形態のコネクタ１が完成する。
【００３１】
さて、以上説明したように本実施形態のコネクタ１では、その組み付け工程において、電線２０の一端側をハウジング１０内に収容した後、電線２０を第２開口１０Ｂから引き出すことができる。このとき、電線２０を曲げることで、ハウジング１０の後方及びハウジング１０の下方のうち所望する方向から電線２０を引き出すことができる。その後、電線２０を挿通孔３２に挿通させながら、第１状態及び第２状態のうち電線２０の引き出し方向に対応する状態でカバー部材３０をハウジング１０に取り付けることで、カバー部材３０によって第２開口１０Ｂを閉塞することができる。
【００３２】
このように本実施形態のコネクタ１では、その組み付け工程において、コネクタ１の外側に電線２０を強制的に曲げるための部材を別途取り付けなくとも、当該電線２０の配索方向を決定することができる。このため、コネクタの外側に電線を強制的に曲げるための部材が取り付けられる従来のコネクタと比べて省スペース化を図ることができる。
【００３３】
また本実施形態では、芯線が被覆されてなる二本の内部電線２２と、その二本の内部電線２２を一括して被覆する絶縁被覆２４とにより構成された電線２０を、ハウジング１０の後方又はハウジング１０の下方のうち所望する方向に配索することが可能なコネクタ１を実現しながら、コネクタ１の省スペース化を図ることができる。
【００３４】
また、本実施形態のコネクタ１では、第２開口１０Ｂがハウジング１０の後方及びハウジング１０の下方に亘って開口しているため、その組み付け工程において、電線２０の一端側をハウジング１０内に収容した後であっても、当該電線２０の残部を曲げることができ、当該電線２０の配索方向を決定することができる。このため、電線の一端側をハウジング内に収容する際に当該電線の配索方向を決定する必要がある従来のコネクタと比べて、組み付け作業性に優れている。
【００３５】
上記の実施形態の変形例を以下に列挙する。
（１）上記の実施形態では、カバー部材がＬ字状に屈曲された構成を例示したが、カバー部材の屈曲態様については限定されない。
【００３６】
（２）上記の実施形態では、リテーナによってカバー部材を保持する構成を例示したが、カバー部材を保持するための構成については限定されない。
【００３７】
（３）上記の実施形態では、第２方向の一例としてハウジングの下方を示したが、例えば第２方向がハウジングの上方であってもよく、第２方向がハウジングの右方又は左方であってもよい。
【００３８】
以上、実施形態について詳細に説明したが、これらは例示に過ぎず、特許請求の範囲を限定するものではない。特許請求の範囲に記載の技術には、以上に例示した具体例を様々に変形、変更したものが含まれる。
【符号の説明】
【００３９】
１…コネクタ
１０…ハウジング
１０Ａ…第１開口
１０Ｂ…第２開口
２０…電線
２２…内部電線
２４…絶縁被覆
３０…カバー部材
３２…挿通孔
３４…ゴム部材
４０…リテーナ
【図１】
2017021946.tif 000003
【図２】
2017021946.tif 000004
【図３】
2017021946.tif 000005
【図４】
2017021946.tif 000006
【図５】
2017021946.tif 000007